(57)【要約】【課題】  本発明は測量や家屋調査等の作業現場で、正確に現場情報を取得しながら作図を短時間に効率良く行うことができる図面作成方法および装置を得るにある。【解決手段】  測量や家屋調査等の作業現場において、調査対象物の図面を作成する図面作成方法において、図面作成装置の作成画面から作図者が所望する建具や図形等の建具テンプレートをテンプレート選択部を介して選択するステップと、選択された前記建具テンプレートの始点を前記作成画面上で指定するステップと、選択された前記建具テンプレートの終点を前記作成画面上で指定するステップと、選択された前記建具テンプレートの始点と終点との距離や図面の縮尺に対応して、前記建具テンプレートを表示するステップとで図面作成方法を構成している。【選択図】  図１
2006112174.tif 000002
【特許請求の範囲】
【請求項１】
測量や家屋調査等の作業現場において、調査対象物の図面を作成する図面作成方法において、図面作成装置の作成画面から作図者が所望する建具や図形等の建具テンプレートをテンプレート選択部を介して選択するステップと、選択された前記建具テンプレートの始点を前記作成画面上で指定するステップと、選択された前記建具テンプレートの終点を前記作成画面上で指定するステップと、選択された前記建具テンプレートの始点と終点との距離や図面の縮尺に対応して、前記建具テンプレートを表示するステップとを備えたことを特徴とする図面作成方法。
【請求項２】
測量や家屋調査等の作業現場において、調査対象物の図面を作成する図面作成方法において、図面作成装置の作成画面から作図者が所望する建具や図形等の建具テンプレートをテンプレート選択部を介して選択するステップと、選択された前記建具テンプレートの始点を前記作成画面上で指定するステップと、選択された前記建具テンプレートの終点を前記作成画面上で指定するステップと、作図者が前記建具テンプレートを描く方向を指定するステップと、指定された方向側に、前記建具テンプレートの始点と終点との距離や図面の縮尺に対応して、前記建具テンプレートを表示するステップとを備えたことを特徴とする図面作成方法。
【請求項３】
測量や家屋調査等の作業現場において、調査対象物の図面を作成する図面作成方法において、作業現場で取得する調査対象物に関する対象物データを図面作成装置に読み込み表示するステップをさらに備えることを特徴とする請求項１、２のいずれかに記載の図面作成方法。
【請求項４】
建具テンプレートを選択する前記ステップは、作業現場で取得する調査対象物に関する対象物データに関連付けして前記建具テンプレートを選択することを特徴とする請求項１、２、３のいずれかに記載の図面作成方法。
【請求項５】
建具テンプレートを選択する前記ステップは、作図者が所望する建具テンプレートをリスト化して前記作成画面上に前記テンプレート選択部を介して表示されることを特徴とする請求項１、２、３のいずれかに記載の図面作成方法。
【請求項６】
対象物データは、調査対象物としての家屋のＣＡＤデータ、損傷データ、損傷データの取得ポイントデータ、調査図、各種図面、関連データを含むことを特徴とする請求項１、２、３、４、５のいずれかに記載の図面作成方法。
【請求項７】
測量や家屋調査等の作業現場において、調査対象物の図面を作成する図面作成装置において、表示部を有する図面作成装置本体と、この図面作成装置本体の前記表示部に表示される作成画面と、この作成画面に表示して図面の縮尺に対応して作図することができる、建具データベースに記憶されている、作図者が所望する建具や図形等の建具テンプレートと、この建具テンプレートを作図者に選択させることができるテンプレート選択部と、前記作成画面に設けられた、前記建具テンプレートや対象物データ上で作図する図形や線等の模様を選択する作図選択ボタンとからなることを特徴とする図面作成装置。
【請求項８】
前記テンプレート選択部は、作図者が所望する建具テンプレートをリスト化して前記作成画面上に表示されることを特徴とする請求項７に記載の
図面作成装置。
【請求項９】
測量や家屋調査等の作業現場において、調査対象物の図面を作成する図面作成方法をアシストするステップの図面作成方法プログラムを格納したことを特徴とする請求項１ないし６のいずれかに記載の記憶媒体。
【請求項１０】
測量や家屋調査等の作業現場において、調査対象物の図面を作成する図面作成方法をアシストするステップの図面作成方法プログラムを操作するための図面作成装置に表示される画面イメージとともに、操作手順や説明欄を設けたことを特徴とする図面作成方法のマニュアル。
【発明の詳細な説明】
【技術分野】
【０００１】
本発明は、測量や家屋調査等の作業現場において、調査対象物の図面を作成する図面作成方法および装置に関する。
【背景技術】
【０００２】
従来、測量や家屋調査等の作業現場において、調査対象物の図面作成方法および装置では、測量業者や家屋調査業者等が、作業現場で紙の図面用紙に手書きで作図し、会社や事務所に持ちかえり、専用ソフトや既存のアプリケーションを利用して作図していた。
【０００３】
したがって、従来の作業現場での図面作成方法および装置では、作業現場で作成した紙ベースの図面を、専用ソフトや既存のアプリケーションを利用して再度作成していたので、転記ミスや入力ミスのチェックや、データ修正等に多大な労力と時間を費やしていたという欠点があった。
【特許文献１】特になし
【発明の開示】
【発明が解決しようとする課題】
【０００４】
本発明は以上のような従来の欠点に鑑み、測量や家屋調査等の作業現場で、正確に現場情報を取得しながら作図を短時間に効率良く行うことができる図面作成方法および装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、測量や家屋調査等の作業現場において、調査対象物の図面を作成する図面作成方法において、図面作成装置の作成画面から作図者が所望する建具や図形等の建具テンプレートをテンプレート選択部を介して選択するステップと、選択された前記建具テンプレートの始点を前記作成画面上で指定するステップと、選択された前記建具テンプレートの終点を前記作成画面上で指定するステップと、選択された前記建具テンプレートの始点と終点との距離や図面の縮尺に対応して、前記建具テンプレートを表示するステップとで図面作成方法を構成している。
【０００７】
また、本発明は、測量や家屋調査等の作業現場において、調査対象物の図面を作成する図面作成装置において、表示部を有する図面作成装置本体と、この図面作成装置本体の前記表示部に表示される作成画面と、この作成画面に表示して図面の縮尺に対応して作図することができる、建具データベースに記憶されている、作図者が所望する建具や図形等の建具テンプレートと、この建具テンプレートを作図者に選択させることができるテンプレート選択部と、前記作成画面に設けられた、前記建具テンプレートや対象物データ上で作図する図形や線等の模様を選択する作図選択ボタンとで図面作成装置を構成している。
【発明の効果】
【０００８】
以下の説明から明らかなように、本発明にあっては次に列挙する効果が得られる。
【０００９】
（１）測量や家屋調査等の作業現場において、調査対象物の図面を作成する図面作成方法において、図面作成装置の作成画面から作図者が所望する建具や図形等の建具テンプレートをテンプレート選択部を介して選択するステップと、選択された前記建具テンプレートの始点を前記作成画面上で指定するステップと、選択された前記建具テンプレートの終点を前記作成画面上で指定するステップと、選択された前記建具テンプレートの始点と終点との距離や図面の縮尺に対応して、前記建具テンプレートを表示するステップを備えているので、作業現場で現場情報を正確に取得しながら、現場で作図者が所望する建具や図形等を容易に、短時間に作図することができる。
【００１０】
（２）前記（１）によって、建具や図形等の建具テンプレートをワンアクションで任意に選択できるので、作業現場で誰でも作図することができるとともに、作業時間を効率良く短縮することができる。
【００１１】
（３）前記（１）によって、建具テンプレートの始点と終点との距離や図面の縮尺に対応して、建具テンプレートを作成できるので、縮尺を計算することなく、作業現場で作図することができる。
【００１２】
（４）前記（１）によって、作業現場で直接作図することができるので、再度事務所等で作図する必要がなく、再入力時のチェックや修正等に余計な時間を掛ける必要がない。
【００１３】
（５）請求項２も前記（１）〜（４）と同様の効果が得られるとともに、作図者に前記建具テンプレートを描く方向を指定するステップによって、作図者が描きたい方向を指定するだけ、規則に沿った図面を容易に作成することができる。
【００１４】
（６）請求項３〜１０も前記（１）〜（５）と同様の効果が得られる。
【発明を実施するための最良の形態】
【００１５】
以下、図面に示す実施するための最良の形態により、本発明を詳細に説明する。
【実施例１】
【００１６】
図１ないし図７に示す本発明の第１の実施するための最良の第１の形態において、図１は本発明の測量や家屋調査等の作業現場において、図面作成装置１を用いて調査対象物の図面を作図する図面作成方法の全体的な概念図である。図１において、１は前記図面作成装置、２は測量や家屋調査等を行う調査対象物、３は前記図面作成装置を用いて作図を行う本発明の図面作成方法をアシストするステップにおけるデータベース４を適宜に格納するサーバである。
なお、前記サーバ３は、情報の防衛上、あるいは管理上必要である場合に設置されるものであって、設置されていなくても、この限りではない。
【００１７】
図２は、本発明の図面作成方法において、作業現場で作図を行う作業手順を示すフロー図である。
【００１８】
作業現場で取得する調査対象物２に関する家屋内部および外部等の家屋データ、家屋の損傷データ、傾斜データ、水平傾斜データ、レベル測定データ、損傷データ取得ポイントデータ等の対象物データ５等を基に、前記図面作成装置１の作成画面６上に、建具データベース９に記憶された、作図者が所望する建具や図形等の建具テンプレート８をテンプレート選択部１１を介して選択するステップ１０と、選択された前記建具テンプレート８の始点を前記作成画面６上で指定するステップ１２と、選択された前記建具テンプレート８の終点を前記作成画面６上で指定するステップ１３と、作図者に該建具テンプレート８を描く方向を指定させるステップ１４と、選択された前記建具テンプレート８の始点と終点との距離や図面の縮尺に対応して、前記建具テンプレート８を表示するステップ１５とを備えている。
【００１９】
測量や家屋調査等の作業現場における図面作成方法において、作図を行う前記図面作成装置１は、従来と同様のパーソナルコンピュータ、ＰＤＡ、タブレット型コンピュータ等の情報端未機で、制御部を中心要素として、通信インターフェイス、表示装置、入力装置、記録媒体等の各要素を有する。
前記図面作成装置１は、図３に示すように、作業現場で取得する調査対象物２に関する対象物データ５を読み込み表示することができる表示装置１６を有する図面作成装置本体１７と、この図面作成装置本体１７の前記表示装置１６に表示される作図選択ボタン７を周辺部位に有する前記作成画面６と、この作成画面６に表示して図面の縮尺に対応して作図することができる、前記建具データベース９に記憶されている、作図者が所望する建具や図形等の前記建具テンプレート８と、この建具テンプレート８を作図者に選択させることができる円形状に表示されるテンプレート選択部１１と、前記作成画面６の周辺部位に設けられた、前記建具テンプレート８や対象物データ５上で作図する図形や線等の模様を選択する作図選択ボタン７とで構成されている。
【００２０】
前記テンプレート選択部１１は、前記建具データベース９に記憶されている前記建具テンプレート８を選択する際に、前記作成画面６上で所定の操作（クリック等）をすると表示される。本実施例では、円形状（時計状）に表示され、その近傍部位には、建具の名称等を表示する説明部１１ａが表示され、１２種類の建具を選択することができる。
なお、本実施例では円形状に１２種類の建具を選択させるテンプレート選択部１１を説明したが、これに限らず、前記建具データベース９に様々な種類の建具テンプレートを多数記憶されていれば、任意にそれらを選択させることができ、また、前記建具テンプレート８をリスト形状に前記作成画面６上に表示するように処理をしてもよく、作図が選択できるように表示されていればよい。
【００２１】
なお、本実施例では、１台の図面作成装置１を使用した作図作業を説明したが、複数人で複数台の図面作成装置１を作業現場に持ち込み、対象物データ５を共有して、担当箇所を決定し、作図作業を行うこともできる。この場合、複数台の図面作成装置１同士は、有線あるいは無線通信手段を用いてデータ転送し、任意の図面作成装置１あるいはサーバ３に作図データを格納することもできる。
【００２２】
以下、図４ないし図７を参照して、本実施例の図面作成方法の手順を説明する。ここでは、図面作成装置１を操作する際に、従来と同様の所定の操作で入力や表示される部分の詳細な説明は割愛する。
【００２３】
まず、使用者は、図面作成装置１を作業現場に持ち込んだ状態で、図４に示すように作成画面６を表示させ、ポインタやカーソルで所定の操作（クリック等）でテンプレート選択部１１を表示させ、説明部１１ａを参考にしながら、作図者が所望する建具テンプレート８を建具データベース９を介して選択する（ステップ１０）。この場合、図面作成装置１の作成画面６に設けられた作図選択ボタン７を選択して線や図形等を選択して作成画面上に描くこともできる。
【００２４】
次に、図５に示すように、選択された建具を書き始める始点をポインタやカーソル等を利用して前記作成画面６上で指示（ステップ１２）した後、終点になるポイントを前記作成画面６上で指示する（ステップ１３）。
さらに、図６に示すように、始点および終点の指示後に、カーソルＸやポインタ等を介して、作図者に建具テンプレート８を描く方向（どちらにオフセットするか）を指定させる（ステップ１４）。本実施例では、始点および終点より上方にカーソルを置き、所定の操作（クリック）をする。また図６の状態であれば、上下方向を指定することができる。
その後、図７に示すように、選択された前記建具テンプレート８の始点と終点との距離や図面の縮尺に対応して、前記建具テンプレート８を表示する（ステップ１５）。本実施例では、描く方向として上方向を指定しているので、上に開く扉が作図されている。
{発明を実施するための異なる形態}
【００２５】
次に、図８ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２６】
図８ないし図１１に示す本発明を実施するための第２の形態において、前記本発明を実施するための最良の第１の形態と主に異なる点は、建具テンプレート８を描く方向を指定するステップ１４を用いない点で、このように構成された図面作成方法は、図９に示すように建具テンプレート８を選択し、図１０に示すように始点および終点を指示した後、図１１に示すように建具テンプレート８が表示され、前記建具テンプレート８を描く方向を指定できない、あるいは固定的になるが、前記本発明を実施するための最良の第１の形態と同様な作用効果が得られる。
【実施例３】
【００２７】
図１２ないし図１８に示す本発明を実施するための第３の形態において、前記本発明を実施するための最良の第１の形態と主に異なる点は、作業現場において、手書き等で作成された図面や、調査対象物２の状態を示す、家屋データ、損傷データ、損傷データ取得ポイントデータ等の対象物データ５を入力するステップ１８を用いた点で、このように構成された図面作成方法にしても前記本発明を実施するための最良の第１の形態と同様な作用効果が得られる。
【００２８】
手書き等で作成された図面は、例えば、スキャナ１９等を介して前記図面作成装置１のメモリ部あるいは記憶装置に記憶し、図１４に示すように、前記作成画面６に表示する。
次に、図１５および図１６に示すように、手書き状態の作成画面６上で、前記建具テンプレート８や図形や線等の模様を選択する作図選択ボタン７を介して、手書き図面上を沿うように所定の操作で線や図形等を描いていく。
図１７に示すような清書が仕上がったら、所定の操作で下書きデータが消去され、図１８に示すようなＣＡＤデータになる。
【００２９】
なお、付近道路図や下水管図等の関連データを図面作成装置１に取り込めば、前記作成画面６上で、ＣＡＤデータとして使用、作成することができる。また、ＣＡＤデータを分割あるいは結合する処理を施すことができるので、作図者の所望する図面を短時間に作成することができる。
【実施例４】
【００３０】
図１９に示す本発明を実施するための第４の形態において、前記本発明を実施するための最良の第１の形態と主に異なる点は、図面作成装置１を用いて、作図を行う方法を表示した図面作成方法用マニュアル２０を形成した点で、このように構成された図面作成方法にしても前記本発明を実施するための最良の第１の形態と同様な作用効果が得られるとともに、この図面作成方法用マニュアル２０は、図１９に示すように、調査対象物に関する対象物データ５を、図面作成装置１上で記憶、加工する方法を表示したもので、図面作成装置１に表示される画面イメージとともに、操作手順２１、作業手順２２およびアイコン説明欄２３等に基づいて作図することができる。
【実施例５】
【００３１】
図２０に示す本発明を実施するための第５の形態において、前記本発明を実施するための最良の第１、第２、第３、第４の形態と主に異なる点は、本発明の図面作成方法をアシストするプログラムや、対象物データ５を基にして作図者の所望する図面を作成するプログラムを磁気あるいは光を利用した記憶媒体２４に格納した点で、このように構成された図面作成方法にしても前記本発明を実施するための最良の第１、第２、第３、第４の形態と同様な作用効果が得られるとともに、これらのプログラムを図面作成装置１にダウンロードして利用可能で、また、前記記憶媒体２４に格納することなく、通信網を介してダウンロードすることで利用されるものでもよい。
【００３２】
なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００３３】
本発明は測量や家屋調査等で図面作成装置や図面作成方法を使用、運営、利用する産業等で利用される。
【図面の簡単な説明】
【００３４】
【図１】本発明を実施するための最良の第１の形態の概念図。
【図２】本発明を実施するための最良の第１の形態の工程図。
【図３】本発明を実施するための最良の第１の形態の図面作成装置の説明図。
【図４】本発明を実施するための最良の第１の形態の建具テンプレート選択の表示画面の説明図。
【図５】本発明を実施するための最良の第１の形態の始点および終点指示の表示画面の説明図。
【図６】本発明を実施するための最良の第１の形態の方向選択の説明図。
【図７】本発明を実施するための最良の第１の形態の建具テンプレートを表示する表示画面の説明図。
【図８】本発明を実施するための第２の形態の工程図。
【図９】本発明を実施するための第２の形態の建具テンプレート選択の表示画面の説明図。
【図１０】本発明を実施するための第２の形態の始点および終点指示の表示画面の説明図。
【図１１】本発明を実施するための第２の形態の建具テンプレートを表示する表示画面の説明図。
【図１２】本発明を実施するための第３の形態の概略図。
【図１３】本発明を実施するための第３の形態の工程図。
【図１４】本発明を実施するための第３の形態の下書き状態の表示画面の説明図。
【図１５】本発明を実施するための第３の形態の清書状態の表示画面の説明図。
【図１６】本発明を実施するための第３の形態の清書完了状態の表示画面の説明図。
【図１７】本発明を実施するための第３の形態の下書きを削除した状態の表示画面の説明図。
【図１８】本発明を実施するための第３の形態のＣＡＤデータ状態の表示画面の説明図。
【図１９】本発明を実施するための第４の形態の概略図。
【図２０】本発明を実施するための第５の形態の概略図。
【符号の説明】
【００３５】
１：図面作成装置、                    ２：調査対象物、
３：サーバ、                          ４：データベース、
５：対象物データ、                    ６：作成画面、
７：作図選択ボタン、                  ８：建具テンプレート、
９：建具データベース、                １０：選択ステップ、
１１：テンプレート選択部、            １２：始点指定ステップ、
１３：終点指定ステップ、              １４：方向指定ステップ、
１５：表示ステップ、                  １６：表示装置、
１７：図面作成装置本体、              １８：入力ステップ、
１９：スキャナ、                      ２０：図面作成方法用マニュアル、
２１：操作手順、                      ２２：作業手順、
２３：アイコン説明欄、                ２４：記憶媒体、
Ｘ：カーソル。
【図１】
2006112174.tif 000003
【図２】
2006112174.tif 000004
【図３】
2006112174.tif 000005
【図４】
2006112174.tif 000006
【図５】
2006112174.tif 000007
【図６】
2006112174.tif 000008
【図７】
2006112174.tif 000009
【図８】
2006112174.tif 000010
【図９】
2006112174.tif 000011
【図１０】
2006112174.tif 000012
【図１１】
2006112174.tif 000013
【図１２】
2006112174.tif 000014
【図１３】
2006112174.tif 000015
【図１４】
2006112174.tif 000016
【図１５】
2006112174.tif 000017
【図１６】
2006112174.tif 000018
【図１７】
2006112174.tif 000019
【図１８】
2006112174.tif 000020
【図１９】
2006112174.tif 000021
【図２０】
2006112174.tif 000022